(57)【特許請求の範囲】
【請求項１】
長手方向に関して対称な２つの同じ部分（１’、１”）を有する自転車のサドルにおいて、各前記２つの同じ部分（１’、１”）は、
ユーザーの臀部の筋肉の湾曲に沿うように、上向きに凸の後方領域（２’）と、下向きに凸のその外側部分（２’’’）とを有している後方部分（２）であって、更に、前方が前方領域（２”）に続いており、この前方領域（２”）は、その前部に向かって下向きに傾斜した形状を有しており、前記ユーザーの臀部を前記自転車のサドル内に受け入れて前記ユーザーの体重の約５０％を支持することを許容する、後方部分（２）と、
前記前方領域（２”）の傾斜した形状に続く横断中央面の部分（５）であり、側面弓形領域（５’）を備えている横断中央面の部分（５）と、
前記ユーザーの坐骨及び恥骨の分岐部の最初の部分だけが載るように、前記後方部分（２）に対して約１−３ｃｍ低く且つ上向きに２５°まで傾斜して、前記ユーザーの体重の約５０％を支持できるばかりでなく前記ユーザーの腰を自由に関節運動させることができる、前方部分（６）であって、長手方向伸張部の約半分で、両方の前記前方部分（６）が徐々に収斂し始め、実質的にＶ字型の形状となり、頂点（７）は丸くて鷲の嘴のように下がっており、これによって、前記乗り手の生殖器が前記自転車のサドルに接触しないために圧縮されない、前方部分（６）と、
前記サドルの前記２つの同じ部分（１’、１”）を、前記中央部分（５）と前記前方部分（６）において分離するチャネル（８）とを備え、
前記ユーザーの骨盤臓器が押し潰されることが防止される、自転車のサドル。
【請求項２】
前記チャネル（８）が、前記チャネル（８）の後部において広くなるように５ｃｍから最小値の３ｃｍまで変化する幅を有することを特徴とする、請求項１に記載の自転車のサドル。
【請求項３】
前記後方部分（２）の前方領域（２”）が、その前部に向かって０ｃｍから３ｃｍ又は５ｃｍ降下する、請求項１又は２に記載の自転車のサドル。
【請求項４】
２つの前記前方領域（２”）が、狭い樋状の部分（９）によって一体に連結されており、サドルの後縁部が、前記サドルの長手方向対称軸で僅かな弓形部（１０）を有するように形成されていることを特徴とする、請求項１乃至３の何れか１項に記載の自転車のサドル。
【請求項５】
前記前方部分（６）には、前記後方部分の支承部に比べて厚い、軟らかい材料で作られている支承部（３）が設けられていることを特徴とする、請求項１乃至４の何れか１項に記載の自転車のサドル。
【請求項６】
前記支承部（３）が、軟らかいプラスチック材料で作られていることを特徴とする、請求項５に記載の自転車のサドル。
【請求項７】
前記２つの同じ部分（１’、１”）の前記前方部分（６）の上には、軟らかいプラスチック材料で作られた厚さ約３ｃｍの支承部があり、前記支承部が、前記チャネル（８）の縁部を構成する内側領域（６’）に、約３０°の斜面を有していることを特徴とする、請求項１に記載の自転車のサドル。
【請求項８】
前記２つの同じ部分（１’、１”）の前記後方部分（２）が、フレーム（１４）を有しており、前記フレームには、上に載っている臀部から出る汗を蒸散し易くするための複数の穴（１５）が設けられていることを特徴とする、請求項１乃至７の何れか１項に記載の自転車のサドル。
【請求項９】
両方の前記前方部分（６）の全幅が、６ｃｍから１５ｃｍまで変化することを特徴とする、請求項１乃至８の何れか１項に記載の自転車のサドル。
【請求項１０】
前記自転車のサドルを支持するシート柱（１７）は、その垂直軸（１８）が、前記後方部分（２）の中間面と、長手方向でほぼ一致するように配置されていることを特徴とする、請求項１乃至９の何れか１項に記載のサドル。
【発明の詳細な説明】
【技術分野】
【０００１】
本発明は、自転車のサドルに関する。
【背景技術】
【０００２】
周知のように、自転車のサドルの製造業者は、スポーツサイクルであれレジャーサイクルであれ、ユーザーにとってできるだけ快適なサドルを作ろうと努力を続けている。
これは、主に、ユーザーは自転車のサドルに座っているとき生殖器が押し潰されるという事実のために、特に複雑である。これは、短距離の路上移動に自転車を使用する人も経験することであるが、例えばサイクリング愛好者の様な長距離の旅行に自転車を使用する人、及びアマチュア及びプロのスポーツ選手には、特に不快且つ有害である。具体的には、上記欠点を回避するために、互いに隣接する２つの同じ部品に長手方向に分割されたサドルが考案されている。例として、ＵＳ−Ａ−５８２３６１８とＤＥ−Ａ−４２０６５０１の文書を指摘しておく。基本的に、そのような型式の装置は、サドルの２つの部分に分離されているばね要素の存在を見越しているが、実際には、既知の創作物によって得られる結果は大したことはなく、しかも構造的に相当複雑で、その結果それらの使用が限られたものとなっている。
【０００３】
我々は、独国文書８４６７８と８２６０５と、ＵＳ−Ａ−４０６３７７５に記載されているサドルも指摘しておく。
【発明の開示】
【課題を解決するための手段】
【０００４】
本発明の目的は、特に快適に使用でき、ユーザーの生殖器が潰れたり擦れたりするのを完全に防ぎ、同時に構造上の観点から簡単な自転車のサドルを実現することである。
本発明によれば、この目的は、２つの長手方向に対称な部分を有し、それらを、後方部分、中間領域、及び前端部分で一体に連結した自転車のサドルで達成されている。
【０００５】
前記２つの部分は、中心部分では、中央面において、後方で広くなっているか単純に等しい幅の長いチャネルによって分離されており、一方サドルの後方部分では、サドル自体の長手方向の中央面が樋状になっている。
【０００６】
サドルは、長手方向に、幅と長さが異なる２つの部分に分割されており、上部領域では僅かに傾斜し側部領域では弓形になっている部分によって連結されている。後方部分は、臀部の筋肉の湾曲に沿うように、後方領域が上向きに僅かに凸で、外側部分が下向きに凸状になっていて、中間領域が前方部分に向かって僅かに傾斜して下がっている、樋の様な形状をした狭い部分によって一体に連結された、２つの小さなシートの形態をしている。前記形状及び幅は、臀部を最適に収容することを見越している。
【０００７】
それに対して、前方端部に向かって続いている部分は、サドルの両半分の部分の幅を形成し、坐骨の隆起と、坐骨と恥骨の分岐部の最初の部分がこの部分の上に収容される支持部となっている。サドルの長さの約１／３となる前方部分の上部表面は、後方部分のラインに続いているが、上方向に約２５°まで好都合に傾斜している。
【０００８】
サドルの上に座ると、臀部は後方部分に載るのに対して、坐骨の隆起と、坐骨と恥骨の分岐部の最初の部分は、筋肉の量が不足しているので、約２又は３ｃｍ高さの軟らかいプラスチック材料の２つの支承部を備えている前方部分を押し潰す。
【０００９】
支持する際に、２つの前方部分は、軟らかい材料で構成されている体重によって、後方部分に対してほぼ１から３ｃｍ押し潰されて下がる。
前方部分の幅は狭くなっていて、腰を自由に関節運動できるようになっており、更に、サドルの２つの部分を分割する長手方向中央面のチャネルは、「骨盤の内臓」が、ペダルを漕いでいる間に押し潰されたり擦れたりすることのないようにしている。
【００１０】
本発明の上記及びこの他の特徴について、幾つかの具体的な実施形態に関連付けて添付図面を参照しながら詳細に説明するが、これらは本発明を限定するものではない。
【発明を実施するための最良の形態】
【００１１】
図１を見ると分かるように、本発明によるサドルは、長手方向に対称な２つの同じ部分１’、１”を有しており、それぞれ、以下の構成要素部分を有している。即ち、
Ａ−後方部分２、これは上向きに僅かに凸の第１後方領域２’を有しており：この領域２’は、前方で前方領域２”に続いており、前方領域２”は、実質的に下向きに傾斜しており、前方部分に向かって０ｃｍから３又は５ｃｍ降下して続いており；外側部分２”’は、臀部筋肉の湾曲に沿うように下向きに凸である。
【００１２】
Ｂ−横断中央面の部分５、これは、領域２”の傾斜形状に続いて、上記後方部分と前方部分の幅の差を接続し易くし（図３）；側面の弓形領域５’も含んでいる。
Ｃ−前方部分６、これは部分２に対して約１−３ｃｍ低くなっており、逆に約２５°まで僅かに上向きに傾斜しており；２つの部分６の全幅は、６ｃｍから１５ｃｍまで変化し、長さの約半分で徐々に収斂し始め、実質的にＶ字型の形状をしており、頂点７が丸くなっていて鷲の嘴のように下を向いている。この様に、サドルの前方部分の形状は、坐骨の隆起及び恥骨と坐骨の分岐部の形状に沿っている。
【００１３】
図１で分かるように、サドルの２つの部分１と１”は、それらの中央部分５と前方部分６において、好都合に後方部分が広く幅が５ｃｍから最小３ｃｍまで変化するチャネル８によって互いに分離されている。更に、サドルの２つの部分２の２つの前方領域２”は、樋の形をした狭い部分９で一体に連結されており；それらも、サドルの後縁部が、実際にはサドル自体の長手方向対称軸で僅かな弓形部１０を有するように形成されている  。
【００１４】
図３を注意深く見ると分かるように、本発明によるサドルの前方部分６は、坐骨の隆起１１と、坐骨と恥骨の分岐部の最初の部分（骨盤の骨の部分）だけが載るように形成されており、体重の５０％を支持できるばかりでなく、腰を自由に関節運動させることができるようになっている。
【００１５】
逆に、後方部分２は、体重の残り約５０％を支持するのに適しているばかりでなく、ユーザーの臀部をサドルに受け入れるのに最適になっている。
つまり、サドルは、シートが臀部と坐骨の隆起との間で等しく分かち合えるように形成されている。
【００１６】
坐骨の隆起と、坐骨と恥骨の分岐部の最初の部分は低い部分６の上に載り、ここには、軟らかいプラスチック材料で作られた支承部が設けられていて、坐骨の隆起１１と、坐骨と恥骨の分岐部の最初の部分の筋肉繊維に取って代わり、押し潰すのを無くする機能を有している。前方部分６の上向きの傾斜は、坐骨と恥骨の分岐部の最初の部分を支持できるようにしているので、身体の胴部が、前方に倒れないようになっている。
【００１７】
本発明による装置の基本的な特性は、実際、サドルの中間面に３から５ｃｍの幅で長手方向に配置されているチャネル８の存在にあり；具体的には、図４で分かるように、前記チャネルは、ユーザーの骨盤の内臓１２を収容するようになっており、着座又はペダルを漕いでいるときに骨盤の内臓が押し潰されたり擦られたりすることはない。ここで「骨盤の内臓」という用語は、男性の場合は、肛門、括約筋、膀胱、前立腺、尿道、貯精嚢、尿道球部腺、射精管の開口部、睾丸及び陰茎を含む身体部分のグループを意味しており、女性の場合は、骨盤の内蔵は、肛門、括約筋、膀胱、卵巣、子宮、子宮の頸部、尿道、副尿道管腺、膣、陰核、大唇及び小唇を含んでいる。更に、前記器官に在る神経、リンパ節、静脈及び動脈は押し潰されることはなく、血液循環を自然に完全に連続して流すことができる。
【００１８】
チャネル８は後方部分が広くなっており、前記チャネルの上方に垂直方向に配置されている骨盤の内臓１３の身体部分のグループ：膀胱、尿道、貯精嚢、射精管、前立腺、尿生殖器隔膜、会陰の横断表面筋肉、会陰の腱の中心、が押し潰されないようにしている。
【００１９】
更に、サドルの後方部分に樋９が在ることによって、自転車の車輪が地面の凸凹と接触することで生じるバンピング運動の間に、尾てい骨が着座面に当たらなくて済むので、脊椎の上部脊椎骨への影響が避けられる。更に、サドルの前方端部７が特殊な鷲の嘴の形状になっているので、睾丸がサドルに触れることはなく、女性の場合はそこが圧縮されず、陰核が擦れないようになっており、更に、レースの間に、手がハンドルレバーから離れても、大腿部が部分６の側部で支持され、自身を平衡に維持できるようになっている。
【００２０】
臀部をサドル上に正しく位置決めできるように、ユーザーは、幾らか速度が出た後で、坐骨の隆起の位置自体をその意図した部分で感じるために、自分の脚をぶらぶらさせなければならず、その後、ペダル踏みに戻って、胴を僅かに前後に動かして、臀部と坐骨の隆起がサドル上に正しく収容されるようにする。
【００２１】
構造的な観点からすれば、サドルの２つの部分１’と１”の後方部分２は、身体的なストレスを受けているときに臀部から出る汗を蒸散し易くする複数の穴１５付きのサドル下のフレーム１４を有している（図２）。
【００２２】
これに対して、前方部分６には、坐骨の隆起と、坐骨と恥骨の分岐部の最初の部分をより快適に載せ、従って押し潰されることのないように、軟らかいプラスチック材料で作られた厚さ約３ｃｍの支承部１６があり（図２参照）；逆に、支承部１６は、内側領域６’で（図１）に漏斗の形をした約３０°の斜面を有しており、これは、基部により広い技術的な支持部を形成し、チャネル８をサドルの上部で広くして、先に述べた骨盤の内臓が僅かであっても押し潰されることのないようにする目的を持っている。
【００２３】
図１で、領域５’の側縁部５”は弓形をしており、そこに大腿部の内側が入って、ペダルを漕いでいる間に、サドルの壁と擦れないようになっている。
図３で分かるように、サドルのシート柱１７は、その垂直軸１８が、部分２の中間面と長手方向でほぼ一致するように調整されているのが最適であると分かっている。
【００２４】
更に、サドルフレームの保持フォーク３は、部分２の領域２”に平行であり（図３）、自転車のシート柱に固定されるときに、地面に平行な位置になければならない。
【図面の簡単な説明】
【００２５】
【図１】本発明によるサドルの全体斜視図である。
【図２】上記サドルの全体斜視図であり、一部を切断して、その通気穴と材料が見えるようにしたものである。
【図３】図３は、サドルに座る直前とその後の、骨盤と臀部の骨の位置決めのやり方を示す長手方向断面である。
【図３Ａ】図３Ａは、サドルに座る直前とその後の、骨盤と臀部の骨の位置決めのやり方を示す長手方向断面である。
【図４】骨盤の内臓、陰嚢及び睾丸（又は女性ユーザーの場合は膣）の位置決めのやり方を示す長手方向断面図である。
【図５】ユーザーの身体の骨盤の骨、大腿骨頭部及び尾骨が本発明によるサドルの上に配置されたときの、それらの位置決めのやり方を示す正面図である。
【図１】
0004495145.tif 000002
【図２】
0004495145.tif 000003
【図３】
0004495145.tif 000004
【図３Ａ】
0004495145.tif 000005
【図４】
0004495145.tif 000006
【図５】
0004495145.tif 000007